(57)【特許請求の範囲】
【請求項１】
２枚の刃部を支軸で回動可能に軸支してなり、前記支軸の両端部に両刃部をかしめるための頭部が固着してある鋏を収納すべく、収納対象の鋏の長手方向へ倣って長い平坦な基底部の一端側に、当該鋏を収納する収納部が設けてあり、前記基底部の他端側に、基底部を垂下させるための垂下部が設けてある鋏ケースにおいて、
前記収納部は前記鋏の両刃部の先端から支軸までの部分を収納するようになっており、
基底部の収納部に相当する部分には、収納部に収納された鋏の基底部に当接した頭部が嵌入する穴状又は孔状の嵌入部が設けてあり、
少なくとも前記収納部は弾性を有する素材にて形成してあり、
該収納部は、前記基底部の収納部に相当する部分と、その両側を基底部に縫着された収納部用片とを具備してなり、該収納部用片は収納部に鋏が収納された場合に膨らむようになしてある
ことを特徴とする鋏ケース。
【請求項２】
前記嵌入部は前記頭部の外径と略同じ内径になしてある請求項１記載の鋏ケース。
【請求項３】
前記基底部には、嵌入部に連通し、前記頭部を案内する案内用凹部が設けてあり、案内用凹部は嵌入部へ向かって漸次深くしてある請求項１又は２記載の鋏ケース。
【請求項４】
前記案内用凹部の嵌入部に連通する位置の深さ寸法は前記頭部の高さ寸法より小さくしてあり、案内用凹部と嵌入部との間に段差が形成されている請求項３記載の鋏ケース。
【請求項５】
前記鋏の両刃部からそれぞれ、互いに離隔する方向へ湾曲する肩部を有する把持部が延設してあり、
前記基底部の幅寸法は、前記両肩部間の外寸より小さくしてある請求項１から４のいずれかに記載の鋏ケース。
【請求項６】
前記収納部の出入口とは反対側の端は開口になしてある請求項１から５のいずれかに記載の鋏ケース。
【発明の詳細な説明】
【技術分野】
【０００１】
本発明は、鋏を収納する鋏ケースに関する。
【背景技術】
【０００２】
庭木を剪定するための剪定鋏にあっては、剪定作業を行う作業員の腰ベルトに垂下し得るようになした鋏ケースに剪定鋏を収納して剪定作業の効率化を図っている。同様に、華道にあっても、比較的大きな作品を創作する際に、両手で花木を活ける作業と花木の一部を切断する作業とを効率的に実施可能にすべく、創作者の腰ベルトに垂下した鋏ケースに花鋏を収納するようになす場合がある。
【０００３】
図９及び図１０は従来の鋏ケースを示す正面図であり、鋏を収納した様態を示している。図９及び図１０に示したように、鋏ケース１０ａ，１０ｂはいずれも、収納対象の鋏７０ａ，７０ｂの長さ寸法より長い寸法になした平板状の基底部１２ａ，１２ｂを有しており、該基底部１２ａ，１２ｂの長手方向の一端側に配した収納部用片１３１ａ，１３１ｂの周縁部を基底部１２ａ，１２ｂに、鋏７０ａ，７０ｂを出し入れさせる出入口１３０ａ，１３０ｂを除いて縫着させて、前記鋏７０ａ，７０ｂを収納する有底の収納部１３ａ，１３ｂが設けてある。これら基底部１２ａ，１２ｂ及び収納部用片１３１ａ，１３１ｂは合成繊維又は皮で形成してあり、柔性及び弾性を有している。
【０００４】
基底部１２ａ，１２ｂの長手方向の他端側の幅寸法は、鋏７０ａ，７０ｂの把持部７２ａ，７２ｂの幅寸法より大きくしてあり、当該他端側の形状も鋏７０ａ，７０ｂの把持部７２ａ，７２ｂの外形に応じた形状になしてある。また、基底部１２ａ，１２ｂの長手方向の他端側には、当該鋏ケース１０ａ，１０ｂを作業者の腰の位置に配設するためのフック部４１又は環状のベルト通し部４２が設けてあり、フック部４１を作業者のズボン若しくはベルトに係止させ、又はベルト通し部４２に作業者のベルトを通すことによって、鋏ケース１０ａ，１０ｂを作業者の腰の位置に着脱可能に垂下させるようになっている。
【０００５】
収納部１３ａ，１３ｂの形状はそこに収納する鋏７０ａ，７０ｂの外形に応じた形状になしてあり、更に収納部１３ａ，１３ｂの深さはそこに収納する鋏７０ａ，７０ｂの刃先から把持部７２ａ，７２ｂの１／３程度までの部分を収納する寸法になしてある。これによって、鋏ケース１０ａ，１０ｂは、収納部１３ａ，１３ｂに収納した鋏７０ａ，７０ｂが作業中に当該収納部１３ａ，１３ｂから抜出して落下することをある程度防止することができるようになっている。
【０００６】
一方、後述する特許文献１には、鋏の刃部に外嵌させる鋏ケースが開示されている。
【０００７】
図１１は特許文献１に開示された鋏ケースの使用様態を示す正面図であり、図中、１０ｃは鋏ケースを、また７０ｃは鋏をそれぞれ示している。合成樹脂製の鋏ケース１０ｃは、鋏７０ｃの刃部７１ｃの外形に応じて正面視が二等辺三角形殻状に成型してあり、二等辺三角形の底辺の部分が鋏７０ｃを出し入れさせる出入口１３０ｃになしてある。鋏ケース１０ｃの正面には、鋏７０ｃの両刃部７１ｃ，７１ｃを揺動可能に支持する支持軸の端部に設けた頭部７５ｃを挿入させる長孔１１が開設してあり、長孔１１の両側にはそれぞれ線分状の切り込み１２，１２が長孔１１と平行に、長孔１１から適宜の距離を隔てて開設してある。この長孔１１の中央位置より鋏ケース１０ｃの先端側部分の幅寸法は、長孔１１の他の部分の幅寸法より僅かに小さくしてあり、これによって前記頭部７５ｃは長孔１１の略中央位置で係止されるようになっている。
【０００８】
このような、鋏ケース１０ｃでは、鋏７０ｃの刃部７１ｃ，７１ｃを鋏ケース１０ｃ内へ挿入させると、鋏７０ｃの前記頭部７５ｃが長孔１１に嵌入し、更に鋏１０ｃの刃部７１ｃ，７１ｃを鋏ケース１０ｃ内へ進入させると、鋏ケース１０ｃの切り込み１２，１２と長孔１１との間の部分が外側へ撓んで前記頭部７５ｃが長孔１１の略中央位置で係止されるため、鋏ケース１０ｃに収納した鋏７０ｃが当該鋏ケース１０ｃから抜出して落下することが防止される。
【先行技術文献】
【特許文献】
【０００９】
【特許文献１】実開昭６４−８３８６号公報
【発明の概要】
【発明が解決しようとする課題】
【００１０】
しかしながら、前者の鋏ケース１０ａ，１０ｂにあっては、収納部１３ａ，１３ｂに収納した鋏７０ａ，７０ｂが作業中に当該収納部１３ａ，１３ｂから抜出して落下することをある程度防止することができるものの、鋏７０ａ，７０ｂの先端側の部分を収納部１３ａ，１３ｂ内に差し込んでいるだけであるため、鋏７０ａ，７０ｂの抜け防止効果が不十分であり、収納部１３ａ，１３ｂに収納した鋏７０ａ，７０ｂが作業中に当該収納部１３ａ，１３ｂから抜出して落下する虞があった。更に、基底部１２ａ，１２ｂの幅寸法が鋏７０ａ，７０ｂの把持部７２ａ，７２ｂの幅寸法より大きいため、収納部１３ａ，１３ｂに収納された鋏７０ａ，７０ｂの把持部７２ａ，７２ｂを作業者が把持しようとする場合、基底部１２ａ，１２ｂの両側縁が邪魔になり、収納部１３ａ，１３ｂから鋏７０ａ，７０ｂを抜き出し、又は収納部１３ａ，１３ｂ内へ鋏７０ａ，７０ｂを収納する作業に支障を来す虞があった。
【００１１】
一方、後者の鋏ケース１０ｃにあっては、前述したように鋏７０ｃの頭部７５ｃが鋏ケース１０ｃの長孔１１の略中央位置で係止されるため、鋏７０ｃの抜けを十分に防止し得るものの、鋏ケース１０ｃの切り込み１２，１２と長孔１１との間の部分に、外側への撓みと復帰とを繰り返すことによる疲労破壊が生じ易く、耐久性が低いという問題があった。また、図９，１０に示した鋏ケース１０ａ，１０ｂのような基底部１２ａ，１２ｂを具備していないため、作業者の腰の位置に垂下させることができず、仮に前述した基底部１２ａ，１２ｂに相当する部分を設けたとしても、前同様、鋏ケース１０ｃから鋏７０ｃを抜き出し、又は鋏ケース１０ｃ内へ鋏７０ｃを収納する作業に支障を来す虞があった。
【００１２】
本発明は斯かる事情に鑑みてなされたものであって、垂下された場合であっても、鋏の抜けを確実に防止し得、耐久性が高く、更に鋏の抜き出し及び収納作業をスムーズに行うことができる鋏ケースを提供する。
【課題を解決するための手段】
【００１３】
（１）本発明に係る鋏ケースは、２枚の刃部を支軸で回動可能に軸支してなり、前記支軸の両端部に両刃部をかしめるための頭部が固着してある鋏を収納すべく、収納対象の鋏の長手方向へ倣って長い平坦な基底部の一端側に、当該鋏を収納する収納部が設けてあり、前記基底部の他端側に、基底部を垂下させるための垂下部が設けてある鋏ケースにおいて、前記収納部は前記鋏の両刃部の先端から支軸までの部分を収納するようになっており、基底部の収納部に相当する部分には、収納部に収納された鋏の基底部に当接した頭部が嵌入する穴状又は孔状の嵌入部が設けてあることを特徴とする。
【００１４】
本発明の鋏ケースにあっては、２枚の刃部を支軸で回動可能に軸支してなり、支軸の両端部に両刃部をかしめるための頭部が固着してある鋏を収納すべく、収納対象の鋏の長手方向へ倣って長い平坦な基底部を備えている。この基底部の長手方向の一端側に、鋏を収納する収納部が設けてあり、収納部は基底部と該基底部に固着した収納部用片とによって筒状に構成してある。また、基底部の他端側に、基底部を垂下させるための垂下部が設けてあり、垂下部によって使用者の腰部のベルト等に基底部を垂下させて、鋏ケースを携帯自在になしてある。かかる収納部は鋏の両刃部の先端から支軸までの部分を収納するようになっている。従って、鋏の両刃部から延設された把持部はその全体が収納部から突出するため、使用者は鋏の把持部を把持した状態のまま、鋏の両刃部を鋏ケースの収納部にスムーズに収納させ、また収納部から突出した鋏の把持部をスムーズに把持して収納部から鋏を抜き出すことができ、いずれの場合も鋏ケースが邪魔とならない。
【００１５】
更に、基底部の収納部に相当する部分には、収納部に収納された鋏の基底部に当接した頭部が嵌入する穴状又は孔状の嵌入部が設けてあるため、収納部に収納された鋏の刃部が収納部から抜出することが確実に防止される。また、このように鋏の基底部に当接した頭部を鋏ケースの穴状又は孔状の嵌入部に嵌入させることによって、鋏の刃部が収納部から抜出すること防止する構成になっているため、収納部の特定箇所に外力が作用することがなく、従って耐久性が高い。
【００１６】
加えて、本発明に係る鋏ケースは、少なくとも前記収納部は弾性を有する素材にて形成してあり、該収納部は、前記基底部の収納部に相当する部分と、その両側を基底部に縫着された収納部用片とを具備してなり、該収納部用片は収納部に鋏が収納された場合に膨らむようになしてあり、収納部用片から当該収納部用片に当接した頭部へ押力が印加される。これによって、収納部に鋏を収納させた鋏ケースを使用者の腰の位置等に垂下させた際に、鋏ケースの収納部に収納させた鋏の両刃部が収納部から抜出することが更に防止される。
【００１７】
（２）本発明に係る鋏ケースは、前記嵌入部は前記頭部の外径と略同じ内径になしてあることを特徴とする。
【００１８】
本発明の鋏ケースにあっては、前記嵌入部は前記頭部の外径と略同じ内径になしてある。
【００１９】
嵌入部は頭部の外径と略同じ内径になしてあり、これによって嵌入部内に頭部が固く嵌合するため、収納部に鋏を収納させた鋏ケースを使用者の腰の位置に垂下させた際に、鋏ケースの収納部に収納させた鋏の両刃部が収納部から抜出することが防止されるとともに、嵌入部に内嵌した頭部にガタが発生することが防止される。
【００２０】
（３）本発明に係る鋏ケースは、前記基底部には、嵌入部に連通し、前記頭部を案内する案内用凹部が設けてあり、案内用凹部は嵌入部へ向かって漸次深くしてあることを特徴とする。
【００２１】
本発明の鋏ケースにあっては、前述した基底部に、嵌入部に連通し、基底部に当接した鋏の頭部を案内する案内用凹部が設けてあり、案内用凹部は嵌入部へ向かって漸次深くしてある。かかる案内用凹部は、基底部の嵌入部に臨む縁部の一部を切削し又は変形させることによって形成してもよいし、基底部の嵌入部に臨む縁部の一部を含み、当該部分に連通する嵌入部近傍の部分を切削し又は変形させることによって形成してもよい。
【００２２】
これによって、鋏ケースの収納部に鋏を出し入れする際に、鋏の基底部に当接した頭部が嵌入部にスムーズに嵌入・抜出させることができる。
【００２３】
（４）本発明に係る鋏ケースは、前記案内用凹部の嵌入部に連通する位置の深さ寸法は前記頭部の高さ寸法より小さくしてあり、案内用凹部と嵌入部との間に段差が形成されていることを特徴とする。
【００２４】
本発明の鋏ケースにあっては、前述した案内用凹部の嵌入部に連通する位置の深さ寸法は鋏の頭部の高さ寸法より小さくしてあり、案内用凹部と嵌入部との間に段差が形成されているため、嵌入部に連通する案内用凹部が形成されていても、嵌入部に嵌入した頭部が嵌入部から容易に抜出されない。
【００２５】
（５）本発明に係る鋏ケースは、前記鋏の両刃部からそれぞれ、互いに離隔する方向へ湾曲する肩部を有する把持部が延設してあり、前記基底部の幅寸法は、前記両肩部間の外寸より小さくしてあることを特徴とする。
【００２６】
本発明の鋏ケースにあっては、鋏の両刃部からそれぞれ、互いに離隔する方向へ湾曲する肩部を有する把持部が延設してあり、鋏ケースの基底部の幅寸法は、鋏の両肩部間の外寸より小さくしてある。従って、鋏ケースの収納部に収納された鋏の両肩部は基底部の両側縁から外方へ突出しており、使用者が収納部から鋏を抜出する際に、鋏の両肩部部分を鋏ケースに邪魔されることなく把持することができ、鋏の抜出作業をスムーズに行うことができる。同様に、鋏ケースの収納部に鋏を収納させる際にも、鋏の両肩部部分を把持することによって鋏ケースに邪魔されることなくスムーズに鋏の両刃部を収納部内へ挿入させて鋏を収納部に収納させることができる。
【００２７】
（６）本発明に係る鋏ケースは、前記収納部の出入口とは反対側の端は開口になしてあることを特徴とする。
【００２８】
本発明の鋏ケースにあっては、収納部の出入口とは反対側の端は開口になしてあり、トンネル状の収納部が形成されている。これによって、鋏の両刃部に付着した切り屑等のゴミが鋏ケースの収納部内に落下した場合であっても、収納部の出入口とは反対側の開口から収納部外へ排出されるため、収納部の内部を清浄に保つことができる。
【図面の簡単な説明】
【００２９】
【図１】本発明に係る鋏ケースの一例を示す正面図である。
【図２】本発明に係る鋏ケースの一例を示す背面図である。
【図３】本発明に係る鋏ケースの一例を示す側面図である。
【図４】本発明に係る鋏ケースの一例を示す斜視図である。
【図５】図１乃至図４に示した鋏ケースに収納される鋏の一例を示す正面図である。
【図６】図１乃至図４に示した鋏ケースに収納される鋏の一例を示す側面図である。
【図７】図１乃至図４に示した鋏ケースに図５及び図６に示した鋏を収納した状態を示す正面図である。
【図８】図１乃至図４に示した鋏ケースに図５及び図６に示した鋏を収納した状態を示す一部破断側面図である。
【図９】従来の鋏ケースを示す正面図である。
【図１０】従来の鋏ケースを示す正面図である。
【図１１】特許文献１に開示された鋏ケースの使用様態を示す正面図である。
【発明を実施するための形態】
【００３０】
本発明に係る鋏ケースを図面に基づいて詳述する。
なお、本実施の形態で説明する鋏ケースは、本発明の趣旨を説明する一例であり、本発明はその趣旨を逸脱しない範囲での変形や改造を含むことはいうまでもない。
【００３１】
図１乃至図４は本発明に係る鋏ケースの一例を示す正面図、背面図、側面図及び斜視図であり、各図中、２は正面視が短冊形状の基底部である。また、図５及び図６は図１乃至図４に示した鋏ケース１に収納される鋏の一例を示す正面図及び側面図である。なお、図５及び図６には主に花木を裁断する生花鋏を示してあり、図１乃至図４に示した鋏ケース１にあっては、各部の幅、長さ及び高さ等の寸法は、図５及び図６に示した鋏７０を収納するように調整してある。
【００３２】
図５及び図６に示したように、鋏７０は、直線状の切刃７１１（７１１）を設けてなる先鋭な二つの刃部７１，７１を互いに切刃７１１（７１１）が対向するように重ね合わせ、両刃部７１，７１の基部７１２，７１２を貫通する貫通孔（図示せず）に挿通した支軸（共に図示せず）の両端にそれぞれ、貫通孔の内径より大きい外経の頭部７５，７５を両刃部７１，７１から突出させた様態で固着させることによって両刃部７１，７１をかしめてあり、前記支軸回りに回動する両切刃７１１（７１１）が裁断対象物を挟み切るようになっている。ここで、両刃部７１，７１をかしめるために例えばボルト及びナットを用いた場合、当該ボルトの頭部及びナットが前記頭部７５，７５に相当し、当該ボルトの脚部が前記支軸に相当する。
【００３３】
両刃部７１，７１の基部７１２，７１２には、正面視がへ字状に湾曲された棒状の把持部７２，７２が湾曲部である肩部７３，７３が互いに離隔するように延設してあり、把持部７２，７２の端部は互いに当接するようになっている。これら両刃部７１，７１の基部７１２，７１２、及び把持部７２,７２の基部７１２，７１２から肩部７３，７３に亘る部分は、いずれも平坦になしてある。
【００３４】
このような鋏７０にあっては、作業者が把持部７２，７２を把持して当該把持部７２，７２を離隔させると、両刃部７１，７１が支軸回りに回動して切刃７１１，７１１が開く。そして、この切刃７１１，７１１の間に裁断対象物を配置し、作業者が両把持部７２，７２を接近させると、両刃部７１，７１が支軸回りに逆回動して切刃７１１，７１１が閉じるため、切刃７１１，７１１の間の裁断対象物が裁断される。
【００３５】
図１乃至図４に示したように、このような鋏７０を収納する鋏ケース１は天然皮製若しくは合皮製、又はこれらと同程度の弾性及び柔性を有する合成樹脂といった素材で構成した基底部２を備えている。基底部２の長さ寸法は前記鋏７０の長さ寸法より長くしてあり、また基底部２の幅寸法は鋏７０の両肩部７３，７３間の外寸より小さくしてある。基底部２の一端部は端縁に向かうにつれてその幅寸法を小さくして角部を除去してあり、後述するように鋏ケース１を使用者の腰の位置等に垂下させた際に、基底部２の一端側の角部が使用者の脚に当接して邪魔となることが可及的に回避されている。
【００３６】
なお、本実施の形態では、基底部２の長さ寸法を鋏７０の長さ寸法より長くした場合について示すが、本発明に係る鋏ケースにあってはこれに限らず、基底部２の長さ寸法を鋏７０の長さ寸法より短くしてもよいことは言うまでもない。
【００３７】
基底部２の一端側には、基底部２と同じ素材を用いてなり、前記鋏７０の刃部７１，７１を挿入させて、鋏７０を収納する収納部３を構成する倒立長台形状の収納部用片３１が、基底部２の一端から適宜距離を隔てて配してある。収納部用片３１の幅寸法は、基底部２の幅寸法より所定寸法だけ広くしてあり、収納部用片３１の長さ寸法は収納部２に収納された鋏７０の先端が突出しない寸法になしてある。かかる収納部用片３１はその幅方向の中央位置を通る略軸線上で凸なアーチ状になしてその両側を基底部２に縫着してあり、これによって収納部３はその両端が開口されたトンネル状になっている。
【００３８】
基底部２の収納部３を構成する部分であって、鋏７０を出し入れさせる出入口３０側端近傍の位置には、前記鋏７０の頭部７５を嵌入させる嵌入部５が凹設してある。嵌入部５は頭部７５の外径と略同じ内径になしてあり、これによって嵌入部５内に頭部７５が固く嵌合するため、収納部３に鋏７０を収納させた鋏ケース１を使用者の腰の位置に垂下させた際に、鋏ケース１の収納部３に収納させた鋏７０の刃部７１,７１が収納部３から抜出することが防止されるとともに、嵌入部５に内嵌した頭部７５にガタが発生することが防止される。なお、本実施の形態では、基底部２を貫通しない穴状の嵌入部５を設けた場合について示したが、本発明はこれに限らず、基底部２を貫通する孔状の嵌入部を設けてもよい。
【００３９】
収納部３の出入口３０側端部の内側高さ寸法は、鋏７０の一刃部７１から他刃部７１側の頭部７５までの寸法より僅かに低い寸法になしてある。鋏７０を閉じた状態で両刃部７１，７１を収納部３に挿入した場合、収納部用片３１がその弾性によって膨らむことによって鋏７０の頭部７５，７５が収納部３内へ進入し、基底部２に当接した頭部７５が嵌入部５に嵌入する。このとき、収納部３の出入口３０側端部の高さ寸法が前述した如く、鋏７０の一刃部７１から他刃部７１側の頭部７５までの寸法より僅かに低い寸法になしてあるため、収納部用片３１から当該収納部用片３１に当接した頭部７５へ押力が印加される。これによって、収納部３に鋏７０を収納させた鋏ケース１を使用者の腰の位置等に垂下させた際に、鋏ケース１の収納部３に収納させた鋏７０の刃部７１,７１が収納部３から抜出することが更に防止される。
【００４０】
また、図４に示したように、基底部２の前記嵌入部５の近傍の部分であって基底部２の幅方向の略中央の位置には、鋏７０の基底部２に当接した頭部７５を嵌入部５へ案内する案内用凹部６が、基底部２の他端側から嵌入部５へ連設してあり、案内用凹部６は、基底部２の他端側から嵌入部５へ向かって漸次深くなるテーパ状にしてある。これによって、鋏ケース１の収納部３に鋏７０を出し入れする際に、基底部２に当接した頭部７５が嵌入部５にスムーズに嵌入・抜出させることができるようになっている。例えば、基底部２に当接した頭部７５がボルト等の多角形状である場合、鋏ケース１の収納部３に鋏７０を出し入れする際に、当該頭部７５が基底部２の嵌入部５に臨む縁部に引っ掛かることなくスムーズに嵌入・抜出させることができる。
【００４１】
なお、図４に示した例では、案内用凹部６は嵌入部５の近傍から嵌入部５へ連設してあるが、本発明はこれに限らず、基底部２の嵌入部５に臨む縁部の該当する部分を切削し又は変形させることによって案内用凹部を形成してもよい。
【００４２】
一方、案内用凹部６の嵌入部５に連通する位置の深さ寸法は前記頭部７５の高さ寸法より小さくしてあり、案内用凹部６と嵌入部５との間に段差を形成して、嵌入部５に嵌入した頭部７５が嵌入部５から容易に抜出されないようになっている。
【００４３】
ところで、収納部３の出入口３０とは反対側の端部の高さ寸法は、鋏７０の両刃部７１,７１の先端部の厚さと略同じ寸法になしてあり、収納部３の稜線部分の高さ寸法は、図３に示したように、出入口３０側の端部からそれとは反対側の端部へ向かうにつれて漸次低くなっている。これによって、収納部３に収納された鋏７０の刃部７１，７１が収納部３の前記出入口３０とは反対側の端部に嵌入して固定される。
【００４４】
また、収納部３の内幅寸法はそこに収納される鋏７０を閉じた状態の刃部７１，７１の両側部がそれぞれ当接する寸法にしてあり、これによって、収納部３に収納された鋏７０の刃部７１，７１に幅方向へのガタが発生することが防止される。
【００４５】
基底部２の他端側の部分の厚さ寸法は基底部２の他の部分の厚さ寸法より小さくしてあり、当該部分を裏面側へ折り返してその端部を基底部２に縫着させる、所謂ギボシ止めすることによって、使用者の腰のベルト等に垂下させるための環状の垂下部４が形成してある。かかる環状の垂下部４にあっては、使用者の腰のベルトを垂下部４内に挿通させることによって、鋏ケース１を当該ベルトに着脱可能に垂下させる。
【００４６】
なお、本実施の形態では、環状の垂下部４を設けた場合について示したが、本発明はこれに限らず、使用者の腰のベルト等に引っ掛けるフックを基底部２の他端に取り付けて、それを垂下部４となしてもよい。また、本実施の形態では、基底部２の他端側の部分を折り返して垂下部４を形成してあるが、本発明はこれに限らず、環状部材を基底部２の他端に取り付けて、それを垂下部４となしてもよいことは言うまでもない。
【００４７】
図７及び図８は、図１乃至図４に示した鋏ケース１に図５及び図６に示した鋏７０を収納した状態を示す正面図及び一部破断側面図である。なお、両図中、図１乃至図６に示した部分に対応する部分には同じ番号が付してある。
【００４８】
図７に示したように、鋏ケース１の収納部３に鋏７０の刃部の先端から頭部７５（７５）までの部分を挿入させて、鋏７０が鋏ケース１に収納されている。このとき図８に示したように、鋏７０の基底部２に当接した頭部７５が基底部２に設けた嵌入部５に嵌入して、当該頭部７５と嵌入部５とが固く嵌合している。これによって前述したように、鋏ケース１が使用者の腰の位置等に垂下された場合であっても、鋏ケース１の収納部３に挿入された鋏７０の両刃部が、収納部３から抜出することが防止される。また、嵌入部５に内嵌した頭部７５にガタが発生することも防止される。
【００４９】
またこのとき前述したように、鋏７０の収納部用片３１に当接した頭部７５に当該収納部用片３１から押力が印加されるため、鋏ケース１の収納部３に挿入された鋏７０の両刃部が、収納部３から抜出することが更に防止される。
【００５０】
一方、鋏ケース１の収納部３には鋏７０の刃部の先端から頭部７５（７５）までの部分が収納されるため、収納部３への鋏７０の収納作業、収納部３から鋏７０の抜出作業が、図９又は図１０に示した従来の鋏ケースのように、鋏の刃部の先端から把持部の１／３程度までの部分を収納する場合に比べてよりスムーズに行うことができ、両作業を略瞬時に完了することができる。
【００５１】
このとき、前述した如く基底部２の幅寸法は鋏７０の両肩部７３，７３間の外寸より小さくしてあるため、図７に示したように、鋏７０の両肩部７３，７３は基底部２の両側縁から外方へ突出しており、使用者が収納部３から鋏７０を抜出する際に、鋏７０の両肩部７３，７３部分を鋏ケース１の基底部２の両側縁に邪魔されることなく把持することができ、鋏７０の抜出作業をスムーズに行うことができる。同様に、鋏ケース１の収納部３に鋏７０を収納させる際にも、鋏７０の両肩部７３，７３部分を把持することによって鋏ケース１の基底部２の両側縁に邪魔されることなくスムーズに刃部を収納部３内へ挿入させて鋏７０を収納部３に収納させることができる。
【００５２】
また、前述したように基底部２の他端側から嵌入部５へ案内用凹部６が連設してあるため、鋏ケース１の収納部３に鋏７０の両刃部を出し入れする際に、鋏７０の基底部２に当接した頭部７５が嵌入部５にスムーズに嵌入・抜出することができる。
【００５３】
一方、前述した如く鋏７０の基底部２に当接した頭部７５を鋏ケース１の嵌入部５に嵌入させることによって、鋏７０の刃部が収納部３から抜出することを防止する構成になっているため、収納部３の特定箇所に外力が集中して作用することがなく、従って収納部３の耐久性が高い。
【００５４】
ところで、前述したように収納部３の出入口３０とは反対側を開口３２にしてあるため、鋏７０の両刃部に付着した切り屑等のゴミが収納部３内に落下した場合であっても、収納部３の出入口３０とは反対側の開口３２から収納部３外へ排出されるため、収納部３の内部を清浄に保つことができる。
【００５５】
なお、本実施の形態では、収納部３の出入口３０とは反対側を開口３２にした場合について示したが、本発明はこれに限らず、収納部３の出入口３０とは反対側を塞止しておいてもよい。
【符号の説明】
【００５６】
１    鋏ケース
２    基底部
３    収納部
４    垂下部
５    嵌入部
３０    出入口
３１    収納部用片
３２    開口
７０    鋏
７１    刃部
７２    把持部
７３    肩部
７５    頭部
【図１】
0006300839.tif 000002
【図２】
0006300839.tif 000003
【図３】
0006300839.tif 000004
【図４】
0006300839.tif 000005
【図５】
0006300839.tif 000006
【図６】
0006300839.tif 000007
【図７】
0006300839.tif 000008
【図８】
0006300839.tif 000009
【図９】
0006300839.tif 000010
【図１０】
0006300839.tif 000011
【図１１】
0006300839.tif 000012